(57)【要約】【課題】手書きした複数の画像を所望の位置にはめ込み合成することができ、また、手書きした複数の画像をはめ込み合成する場合、その画像の大きさを決定することができる画像処理装置および画像処理装置の制御方法を提供することを目的とする。【解決手段】手書きで描いた図形を読み取り、この読み取った図形から閉領域を検出する閉領域検出手段と、上記検出した閉領域とこの検出した閉領域内に配置すべきはめ込み画像を指定するはめ込み画像指定手段とが記載されているナビゲーションシートを印刷するナビゲーションシート印刷手段と、上記ナビゲーションシートを、読み取り、閉領域とはめ込み画像とを検出するナビゲーションシート検出手段と、上記検出された閉領域内に、上記検出されたはめ込み画像を印刷する印刷手段とを有する画像読取記録装置である。【選択図】図７
2008092317.tif 000002
【特許請求の範囲】
【請求項１】
原稿を読み取る原稿読取部と、画像形成する画像形成部と、画像読取記録装置を操作する操作部とを具備する画像読取記録装置において、
手書きで描いた図形を読み取り、この読み取った図形から閉領域を検出する閉領域検出手段と；
上記検出した閉領域と、この検出した閉領域内に配置すべきはめ込み画像を指定するための指示部とで構成されるシートを印刷するシート印刷手段と；
上記シートを、読み取り、閉領域とはめ込み画像とを検出するシート検出手段と；
上記検出された閉領域内に、上記検出されたはめ込み画像を印刷する印刷手段と；
を有することを特徴とする画像読取記録装置。
【請求項２】
請求項１において、
上記シートは、背景画像を指定する背景画像指定手段を有するシートであり、
上記シート検出手段は、閉領域以外の背景部分に印刷する画像を指定する手段であることを特徴とする画像読取記録装置。
【請求項３】
請求項１において、
上記シートは、画像番号、画像切り出し方法、画像拡大縮小方法を設定することができるシートであることを特徴とする画像読取記録装置。
【請求項４】
請求項１において、
上記シートは、画像番号、画像切り出し方法、画像拡大縮小方法の設定をバーコード、または、２次元バーコードで指定するシートであることを特徴とする画像読取記録装置。
【請求項５】
請求項１において、
上記閉領域検出手段で、閉領域と認識されなかった画像は、手書き文字として検出し、上記閉領域内に画像を印刷するとともに、手書き文字として印刷することを特徴とする画像読取記録装置。
【請求項６】
請求項１において、
上記シートによって指定可能な画像は、メモリカード内に格納されている画像であることを特徴とする画像読取記録装置。
【請求項７】
請求項１において、
上記シートによって指定可能な画像は、読取手段が読み込んだ画像であることを特徴とする画像読取記録装置。
【請求項８】
請求項１において、
上記シートで指定可能な画像は、内蔵または外付けの記憶装置に格納されている画像であることを特徴とする画像読取記録装置。
【請求項９】
原稿を読み取る原稿読取部と、画像形成する画像形成部と、画像読取記録装置を操作する操作部とを具備する画像読取記録装置において、
手書きで描いた図形を読み取り、この読み取った図形から閉領域を検出する閉領域検出手段と；
上記検出した閉領域と、この検出した閉領域内に配置すべきはめ込み画像を指定するために、上記検出した閉領域を上記操作部に表示する閉領域表示手段と；
上記閉領域表示手段が表示している閉領域内にはめ込むはめ込み画像を指定する画像指定手段と；
上記検出された閉領域内に、上記指定されたはめ込み画像を印刷する印刷手段と；
を有することを特徴とする画像読取記録装置。
【請求項１０】
請求項９において、
上記閉領域表示手段において、上記閉領域にはめ込むはめ込み画像を指定した後に、背景部分に印刷する画像を指定することを特徴とする画像読取記録装置。
【請求項１１】
請求項９において、
上記画像指定手段を介して指定可能な画像は、メモリカード内に格納されている画像であることを特徴とする画像読取記録装置。
【請求項１２】
請求項９において、
上記画像指定手段を介して指定可能な画像は、読取手段が読み込んだ画像であることを特徴とする画像読取記録装置。
【請求項１３】
請求項９において、
上記画像指定手段を介して指定可能な画像は、内蔵または外付けの記憶装置に格納されている画像であることを特徴とする画像読取記録装置。
【請求項１４】
原稿を読み取る原稿読取部と、画像形成する画像形成部と、画像読取記録装置を操作する操作部とを具備する画像読取記録装置において、
手書きで描いた図形を読み取り、この読み取った図形から閉領域を検出する閉領域検出手段と；
上記検出した閉領域内に存在している画像番号を検出する画像番号認識手段と；
上記画像番号認識手段が認識した画像番号に対応するはめ込み画像を、上記閉領域内に印刷する印刷手段と；
を有することを特徴とする画像読取記録装置。
【請求項１５】
原稿を読み取る原稿読取部と、画像形成する画像形成部と、画像読取記録装置を操作する操作部とを具備する画像読取記録装置の制御方法において、
手書きで描いた図形を読み取り、この読み取った図形から閉領域を検出する閉領域検出工程と；
上記検出した閉領域と、この検出した閉領域内に配置すべきはめ込み画像を指定するための指示部とでシートを印刷するシート印刷工程と；
上記シートを、読み取り、閉領域とはめ込み画像とを検出するシート検出工程と；
上記検出された閉領域内に、上記検出されたはめ込み画像を印刷する印刷工程と；
を有することを特徴とする画像読取記録装置の制御方法。
【請求項１６】
原稿を読み取る原稿読取部と、画像形成する画像形成部と、画像読取記録装置を操作する操作部とを具備する画像読取記録装置の制御方法において、
手書きで描いた図形を読み取り、この読み取った図形から閉領域を検出する閉領域検出工程と；
上記検出した閉領域と、この検出した閉領域内に配置すべきはめ込み画像を指定するために、上記検出した閉領域を上記操作部に表示させる閉領域表示工程と；
上記閉領域表示工程で表示している閉領域内にはめ込むはめ込み画像を指定する画像指定工程と；
上記検出された閉領域内に、上記指定されたはめ込み画像を印刷する印刷工程と；
を有することを特徴とする画像読取記録装置の制御方法。
【請求項１７】
原稿を読み取る原稿読取部と、画像形成する画像形成部と、画像読取記録装置を操作する操作部とを具備する画像読取記録装置の制御方法において、
手書きで描いた図形を読み取り、この読み取った図形から閉領域を検出する閉領域検出工程と；
上記検出した閉領域内に存在している画像番号を検出する画像番号認識工程と；
上記画像番号認識工程で認識された画像番号に対応するはめ込み画像を、上記閉領域内に印刷する印刷工程と；
を有することを特徴とする画像読取記録装置の制御方法。
【発明の詳細な説明】
【技術分野】
【０００１】
本発明は、画像の印刷、画像の読み込み、メモリカードの読み取り、デジタルカメラからの印刷等、複数の機能を有する画像読取記録装置を用いて、手書きのアルバムを作成する画像読取記録装置に関する。
【背景技術】
【０００２】
従来の画像読取記録装置のうちで、メモリカードと、読取装置から読み取った画像とを合成して印刷する装置が知られている。
【０００３】
また、従来、読取装置を介して、メモリカードから読み取った複数の画像を、予め決められた配置で印刷する機能を持つ装置が知られている。
【０００４】
さらに、従来、複数の画像を１枚の印刷用紙上に決められた配置で印刷する機能を持つ画像読取記録装置も知られている。
【０００５】
さらに進んだ技術として、複数の画像を任意の場所に配置することが知られている（たとえば、特許文献１参照）。
【特許文献１】特開２００２−２１８２１８号公報
【発明の開示】
【発明が解決しようとする課題】
【０００６】
しかし、上記従来例では、手書きした複数の画像を所望の位置にはめ込み合成することができず、また、手書きした複数の画像をはめ込み合成する場合、その画像の大きさを決定することができないという問題がある。
【０００７】
本発明は、手書きした複数の画像を所望の位置にはめ込み合成することができ、また、手書きした複数の画像をはめ込み合成する場合、その画像の大きさを決定することができる画像処理装置および画像処理装置の制御方法を提供することを目的とする。
【課題を解決するための手段】
【０００８】
本発明は、手書きで描いた図形を読み取り、この読み取った図形から閉領域を検出する閉領域検出手段を有する。また、本発明は、上記検出した閉領域と、この検出した閉領域内に配置すべきはめ込み画像を指定するための指示部とで構成されるシートを印刷するシート印刷手段を有する。さらに、本発明は、上記シートを、読み取り、閉領域とはめ込み画像とを検出するシート検出手段と、上記検出された閉領域内に、上記検出されたはめ込み画像を印刷する印刷手段とを有する画像読取記録装置である。
【発明の効果】
【０００９】
本発明によれば、手書きした複数の画像を所望の位置にはめ込み合成することができ、また、手書きした複数の画像をはめ込み合成する場合、その画像の大きさを決定することができるという効果を奏する。
【発明を実施するための最良の形態】
【００１０】
発明を実施するための最良の形態は、次の実施例である。
【実施例１】
【００１１】
図１は、本発明の実施例１である画像形成装置１００を示す概観斜視図である。
【００１２】
画像形成装置１００の外殻を構成する本体は、排出トレイ１１と、原稿カバー１４と、ケース１６と、記録装置へのアクセスで利用するアクセスカバー１７との外装部材を有している。
【００１３】
また、画像形成装置１００は、手書きアルバム作成装置であり、次の機能を有する。つまり、図示しないホストコンピュータから印刷データを受信し、印刷する機能を有する。備え付けられたスキャナを利用して原稿を読み取り、読み取ったデータを印刷するコピー機能を有する。また、画像形成装置１００は、カード挿入口１３に挿入されているメモリカードから画像データを受信し、受信したデータに画像処理を施し、印刷を行うカード印刷機能を有する。さらに、画像形成装置１００は、用紙原稿の読み取り、接続された上記ホストコンピュータに読み取りデータを保存するＰＣスキャン機能を有する。
【００１４】
排出トレイ１１は、その一端部が、ケース１６に回転自由に保持され、その回転によって、ケース１６の前面部に形成される開口部を開閉させる。このために、記録動作を実行させるときは、排出トレイ１１を、前面側へ開口部を開き、この開口部から記録シートを排出することができ、排出された記録シートを順次積載する。
【００１５】
操作パネル１２には、電源キー、各種印刷設定を行うキーが押し下げ可能に設けられている。また、印刷設定などを表示できる液晶部も同様に設けられている。操作パネル１２は、検出した閉領域と、この検出した閉領域内に配置すべきはめ込み画像を指定するために、上記検出した閉領域を表示する閉領域表示手段の例である。
【００１６】
カード挿入口１３には、メモリカードＭＣが挿入され、メモリカードＭＣ内に記憶されている画像データを印刷することができる。メモリカードＭＣとしては、たとえばコンパクトフラッシュ（登録商標）メモリ、スマートメディア（登録商標）、メモリスティック等がある。
【００１７】
自動給紙部１５は、記録シートを画像形成装置１００の本体内へ自動的に給紙する。
【００１８】
ケース１６は、記録動作に係る各機構を収納する中空対構造を有する。
【００１９】
アクセスカバー１７は、一端部がケース１６に回転自由に保持され、上面に形成される開口部を開閉し、アクセスカバー１７を開くことによって、本体内部に収納されている記録ヘッドカートリッジなどを交換することができる。
【００２０】
図２は、画像形成装置１００を背面から見た外観斜視図である。
【００２１】
電源コード差込口２１は、画像形成装置１００に内蔵された図示しない電源と接続され、交流電流を供給するために利用する。
【００２２】
差込口２２は、ホストコンピュータと接続するためのＵＳＢの差込口である。
【００２３】
図３は、画像形成装置１００において、原稿カバー１４を上面に開き、原稿台にアクセス可能な状態を示す外観斜視図である。
【００２４】
なお、図３において、他の図における部材と共通する部材には、同じ符号を付し、それらの説明を省略する。図４以降においても同様である。
【００２５】
ガラス製の原稿台３１は、原稿のＲＧＢデータを読み取る図示しないコンタクトセンサが内部に装着されている。
【００２６】
白色基準板３２は、原稿カバー１４に備え付けられている。原稿カバー１４を閉めた状態で、備え付けられているコンタクトセンサの白基準データ（キャリブレーション）を取得するために利用される。
【００２７】
図４は、画像形成装置１００の制御に係る主要部の構成を示す図である。
【００２８】
画像形成装置１００の制御に係る主要部は、制御部（制御基板）４１と、中央演算装置（ＣＰＵ）４２と、電源４３と、メモリ４４と、プログラムメモリ４４ａと、データ保存領域４５と、印刷部４６と、スキャナ部４７とを有する。また、画像形成装置１００は、電源コネクタ４８と、電源コード４９と、ＡＳＩＣ（専用カスタムＬＳＩ）５０とを有する。
【００２９】
中央演算装置（ＣＰＵ）４２は、後述する各種制御および演算等を担当している。
【００３０】
メモリ４４は、ＣＰＵ４２の制御プログラムを記憶するプログラムメモリ４４ａと、実行時のプログラムを記憶するＲＡＭエリアと、データなどを記憶するワークメモリとして機能するメモリエリアとを有する。
【００３１】
データ保存領域４５は、画像データを保存し、実施例１では、ハードディスク（ＨＤＤ）であるが、不揮発性メモリなどの記憶領域に置き換えることは可能である。
【００３２】
印刷部４６は、データを用紙に印刷する際に使用され、ここではその説明を省略する。
【００３３】
スキャナ部４７は、用紙に書かれた原稿Ｐからデータを読み取るために使用され、ここでは、その説明を省略する。
【００３４】
メモリカードＭＣは、デジタルデータを保存する。メモリカードＭＣは、カード挿入口１３に挿入して使用される。
【００３５】
電源コネクタ４８は、電源コード４９を家庭用コンセント（図不指示）に差し込むことによって、商用ＡＣを電源４３が変換した直流電圧を入力する。
【００３６】
図５は、ＡＳＩＣ５０の構成を示すブロック図である。
【００３７】
ＡＳＩＣ５０は、内部バス５１と、ＣＰＵインタフェース部５２と、メモリカードインタフェース部５３と、操作パネルインタフェース部５４と、スキャナ関連モジュール５５と、印刷関連モジュール５６と、ＨＤＤコントローラモジュール５７とを有する。なお、内部バス５１は、ＡＳＩＣバスである。
【００３８】
内部バス（ＡＳＩＣバス）５１は、内部の各モジュールを接続している。
【００３９】
ＣＰＵインタフェース部５２は、ＣＰＵ４２との間でデータをやり取りする。メモリカードインタフェース部５３は、装着されているメモリカードＭＣに記憶されている画像データを読み取り、また、メモリカードＭＣへデータを書き込む。
【００４０】
操作パネルインタフェース部５４は、操作パネル１２に存在している各種ボタンを介して入力された各種操作信号に対応する表示データを、表示部へ出力する。スキャナ関連モジュール５５は、スキャナ部４７を動作させるモジュールである。
【００４１】
印刷関連モジュール５６は、印刷部４６を動作させるモジュールである。ＨＤＤコントローラモジュール５７は、データ保存領域４５をハードディスクとした場合、これをコントローするモジュールである。
【００４２】
図６は、ユーザがアルバム作成のための画像を貼り付けるレイアウトを指定するための手書きのシート６０を示す図である。
【００４３】
手書き枠６１、６２、６３は、閉領域の例であり、手書きのシート６０にユーザが記載した枠であり、この枠６１、６２、６３の中に画像を実際にはめ込むための手書きの枠である。枠６１、６２、６３をレイアウトする位置、枠６１、６２、６３の大きさを、ユーザが自由に設定することができる。
【００４４】
なお、枠６１、６２、６３の代わりに、３つ以上の点を、ユーザが手書きのシート６０にプロットし、このプロットした点を結んで閉領域を設定するようにしてもよい。
【００４５】
図７は、手書きのシート６０を読み取り、検出し、実際に画像を指定するためのナビゲーションシート７０を示す図である。
【００４６】
枠７１、７２、７３は、手書き枠６１、６２、６３を検出し、この検出した結果を印刷した枠である。画像番号記入欄７４、７５、７６は、枠７１、７２、７３にはめ込む画像に対応する画像番号を記入する欄であり、閉領域内に配置すべきはめ込み画像を指定するはめ込み画像指定手段の例である。
【００４７】
画像のはめ込み方法指定ボックスＢ１は、枠７１にはめ込む画像が、枠７１よりも大きい場合に、はめ込む画像を、枠７１の大きさと同じ大きさにカットするのか、枠７１の大きさに合わせて縮小し、はめ込むのかを、指定する指定ボックスである。
【００４８】
画像のはめ込み方法指定ボックスＢ２は、はめ込む画像が、枠７１よりも小さい場合に、枠７１の大きさに合わせて画像を拡大するのか、画像サイズのまま、枠７１の中にはめ込むのかを、指定する指定ボックスである。
【００４９】
このナビゲーションシート７０での指定は、枠７１に対する設定だけでなく、上記と同様に、枠７２、７３に対しても、画像番号記入欄７５、７６と、画像のはめ込み方法指定ボックスＢ３、Ｂ４、Ｂ５、Ｂ６とを使用して設定可能である。
【００５０】
さらに、手書き画像では指示されていない背景に対しても、画像番号記入欄７７と、画像のはめ込み方法指定ボックスＢ７、Ｂ８とを使用して、背景画像を指定することができる。画像番号記入欄７７は、背景画像を指定する背景画像指定手段の例である。
【００５１】
図８は、実施例１における最終的な出力画像８０を示す図である。
【００５２】
手書き枠６１、６２、６３は、ユーザが手書きした枠である。はめ込み画像８１は、図７に示す画像番号記入欄７４に記入された画像番号に対応するはめ込み像が、画像のはめ込み方法指定ボックスＢ１、Ｂ２で指示された拡大縮小方法によって画像処理され、はめ込まれている画像である。
【００５３】
これと同様に、はめ込み画像８２、８３に対しても、画像番号記入欄７５、７６に記入された画像番号に対応するはめ込み画像を、画像のはめ込み方法指定ボックスＢ３、Ｂ４、Ｂ５、Ｂ６で指定された拡大縮小方法で画像処理した画像をはめ込む。
【００５４】
背景に関しても、画像番号記入欄７７に記入された画像番号に対応するはめ込み画像を、画像のはめ込み方法指定ボックスＢ７、Ｂ８で指定された拡大縮小方法によって画像処理した画像８４が描かれている。
【００５５】
実施例１によれば、指定された画像を、自由な位置に、自由なサイズで、また、自由な形状で、用紙上に配置することができる。また、指定する画像の数も任意に指定することができる。
【００５６】
つまり、実施例１によれば、複数のはめ込み画像を指定する場合、閉領域と対応させて複数回指定するという煩雑な作業を行う必要がない。すなわち、ナビゲーションシートへの記入のみで、複数のはめ込み画像を指定することができ、手作り感のあるアルバムを簡単に作成することができる。これによって、画像番号の指定、画像処理の方法が、１枚のナビゲーションシート７０上で行えるので、簡単な操作でオリジナルのアルバムを作成することができる。
【００５７】
なお、ナビゲーションシート７０は、画像番号、画像切り出し方法、画像拡大縮小方法の設定を、バーコード、または、２次元バーコードで指定するシートであってもよい。
【実施例２】
【００５８】
図９は、本発明の実施例２の説明図である。
【００５９】
手書きのシート９０にユーザが、手書き枠９１、９２、９３を記載する。手書き枠９１、９２、９３は、閉領域の例である。
【００６０】
実施例２が、実施例１と異なる点は、手書き枠９１内に存在する画像番号Ｎ１を検出し、この検出した画像番号Ｎ１に対応するはめ込み画像を検出し、この検出されたはめ込み像を、手書き枠９１内に配置する点である。
【００６１】
上記と同様に、手書き枠９２内に、画像番号Ｎ２を配置し、手書き枠９３に、画像番号Ｎ３を配置する。そして、はめ込み画像を、手書き枠９２、９３内にそれぞれ配置する。
【００６２】
画像番号Ｎ４は、背景に表示するはめ込み画像に対応する画像番号である。背景は、手書き枠の外であるので、どのエリアに記入しても、手書き枠以外であれば、背景に対応する画像番号として認識する。
【００６３】
実施例２における印刷結果は、図８に示す印刷結果と同様な出力結果である。
【００６４】
実施例２によれば、指定された画像を、自由な位置に、自由なサイズで、また、自由な形状で、用紙上に配置することができる。また、指定する画像の数も任意に指定することができる。つまり、実施例２によれば、複数のはめ込み画像を指定する場合、閉領域と対応させて複数回指定するという煩雑な作業を行う必要がない。
【００６５】
さらに、実施例２では、実施例１よりもさらに簡単に画像を指定することができ、ナビゲーションシートを使わずに手書きアルバムを作成することができる。
【００６６】
なお、枠９１、９２、９３の代わりに、３つ以上の点を、ユーザが手書きのシート９０にプロットし、このプロットした点を結んで閉領域を設定するようにしてもよい。
【００６７】
また、上記実施例において、閉領域検出手段で、閉領域と認識されなかった画像は、手書き文字として検出し、上記閉領域内に画像を印刷するとともに、手書き文字として印刷するようにしてもよい。
【図面の簡単な説明】
【００６８】
【図１】本発明の実施例１である画像形成装置１００を示す概観斜視図である。
【図２】画像形成装置１００を背面から見た外観斜視図である。
【図３】画像形成装置１００の原稿カバー１４を上面に開き、原稿台にアクセス可能な状態を示す外観斜視図である。
【図４】画像形成装置１００の制御に係る主要部の構成を示す図である。
【図５】ＡＳＩＣ５０の構成を示すブロック図である。
【図６】ユーザがアルバム作成のための画像を貼り付けるレイアウトを指定するための手書きのシート６０を示す図である。
【図７】手書きのシート６０を読み取り、検出し、実際に画像を指定するためのナビゲーションシート７０を示す図である。
【図８】実施例１における最終的な出力画像８０を示す図である。
【図９】本発明の実施例２を示す図である。
【符号の説明】
【００６９】
１００…画像形成装置、
１２…操作パネル、
４２…ＣＰＵ、
４６…印刷部、
５０…ＡＳＩＣ、
５４…操作パネルＩ／Ｆ、
５６…印刷関連モジュール、
６１、６２、６３…手書き枠、
７０…ナビゲーションシート、
７１、７２、７３…枠、
７４、７５、７６…画像番号記入欄、
Ｂ１〜Ｂ８…画像のはめ込み方法指定ボックス、
８１、８２、８３…はめ込み画像、
９１、９２、９３…手書き枠、
Ｎ１、Ｎ２、Ｎ３、Ｎ４…画像番号。
【図１】
2008092317.tif 000003
【図２】
2008092317.tif 000004
【図３】
2008092317.tif 000005
【図４】
2008092317.tif 000006
【図５】
2008092317.tif 000007
【図６】
2008092317.tif 000008
【図７】
2008092317.tif 000009
【図８】
2008092317.tif 000010
【図９】
2008092317.tif 000011